(57)【要約】      （修正有）【課題】運動強度に伴う女性皮膚に於ける粘弾力性を判定し、もって女性の皮膚の向上を図るべくした運動強度に伴う女性皮膚判定装置を提供する。【解決手段】粘弾性プローブ８は陰圧吸引部９と該陰圧吸引部９からの信号を取込む圧力センサ部とでなる。１１は信号ケーブルであり粘弾性プローブ８と皮膚粘弾性測定器１２とを接続する。１３はパソコン装置で皮膚粘弾性測定器１２に接続されている。皮膚粘弾性測定器１２は演算部と判定部とを備えている。パソコン装置１３は皮膚粘弾性測定器１２の演算部に運動強度データを入力する運動強度入力部と、皮膚粘弾性測定器１２の運動強度適否を判定した判定部からのデータ信号を表示する表示部とを備えている。【選択図】図１
0003161310.tif 000002
【実用新案登録請求の範囲】
【請求項１】
運動完了後に於ける女性の皮膚表面を検出する粘弾性プローブと、該粘弾性プローブの出力側に信号ケーブルを介して接続しかつ前記粘弾性プローブからの縮み力、柔らかさ及び運動強度に基づく女性の皮膚表面評価データを演算処理する皮膚粘弾性測定器と、該皮膚粘弾性測定器に接続されかつ運動強度の評価データを取り込むパソコン装置とでなる構成に於いて、該皮膚粘弾性測定器は内蔵した演算部からのデータを下に最適運動強度を判定する判定部を備えたことを特徴とする運動強度に伴う女性皮膚判定装置。
【考案の詳細な説明】
【技術分野】
【０００１】
本考案は、運動強度に伴う女性皮膚に於ける粘弾力性を判定し、もって女性の皮膚の向上を図るべくした運動強度に伴う女性皮膚判定装置に関する。
【背景技術】
【０００２】
従来、この種、人の皮膚の張力判定装置に於ける一例としては図３に示す特開平６−７８８８６号公開特許公報に開示した構成であった。これについて説明すれば、第１および第２の張力手段１、２に挟持された測定針３と、この測定針３に加わる力を検出するセンサとを含み、筒状筐体４内を移動可能なセンサユニット５と、上記筒状筐体４内に固定されてこの筒状筐体４の前縁から上記センサユニット５の測定針３の先端が突出および／または引込み可能なように上記センサユニット５を筒状筐体４の軸方向に移動させる駆動機構部６とによって皮膚の張力測定装置を構成した。
【０００３】
センサユニット５の測定針３の先端に例えば瞬間接着剤を塗布して例えば頭皮などの測定すべき部位の皮膚７に接着した後、このセンサユニット５を駆動機構部６によって上方に移動させると、皮膚７を引っ張り上げるための張力によりこの測定針３は第２の張力手段２による張力に抗してセンサユニット５内で下方に移動するので、このとき測定針３に加わる力ｐを測定手段により測定して、張力手段２による押上げ力すなわち張力Ｔ２と加算することによってこの皮膚７を引っ張り上げる際の張力を測定することができる。また、センサユニット５を駆動機構部６によって下方に移動させると、皮膚７を押し込むための張力によりこの測定針３は第１の張力手段１による張力に抗してセンサユニット５内で上方に移動するので、上記と同様に、このときの測定針３に加わる力と張力手段１による押下げ力すなわち張力と加算することによって、この皮膚７を押し込む際の張力を求める技術である。
【先行技術文献】
【特許文献】
【０００４】
【特許文献１】特開平６−７８８８６号公開特許公報
【考案の開示】
【考案が解決しようとする課題】
【０００５】
従来の技術は叙上の構成・作用であるので次の課題が存在した。
すなわち、人の皮膚の張力を唯単に測定することができる技術であるが女性の皮膚、殊に運動強度との関係性で女性の皮膚を測定する技術ではなく女性の皮膚向上の指針に役立てることができない。また具体的に女性の皮膚に於ける顔面の頬部での縮む力、女性の顔面の口元での皮膚の柔らかさや運度強度存否による女性肉体の加齢等のデータに基づき合理的な女性運強度を検出判定する技術を開示するものではなく、実用に供しないという問題点があった。
【課題を解決するための手段】
【０００６】
本考案は女性の皮膚に於ける顔面の頬部での縮む力、女性の顔面の口元での皮膚の柔らかさや運度強度存否による女性肉体の加齢等のデータに基づき合理的な女性運強度を検出判定する技術を提供することを目的としたものであって、次の構成から成立する。
すなわち請求項１記載の考案によれば、運動完了後に於ける女性の皮膚表面を検出する粘弾性プローブと、該粘弾性プローブの出力側に信号ケーブルを介して接続しかつ前記粘弾性プローブからの縮み力、柔らかさ及び運動強度に基づく女性の皮膚表面評価データを演算処理する皮膚粘弾性測定器と、該皮膚粘弾性測定器に接続されかつ運動強度の評価データを取り込むパソコン装置とでなる構成に於いて、該皮膚粘弾性測定器は内蔵した演算部からのデータを下に最適運動強度を判定する判定部を備えたことを特徴とする。
【考案の効果】
【０００７】
本考案に係る運動強度に伴う女性皮膚判定装置は叙上の構成を有するので次の効果がある。
【０００８】
請求項１記載の考案によれば、運動完了後に於ける女性の皮膚表面を検出する粘弾性プローブと、該粘弾性プローブの出力側に信号ケーブルを介して接続しかつ前記粘弾性プローブからの縮み力、柔らかさ及び運動強度に基づく女性の皮膚表面評価データを演算処理する皮膚粘弾性測定器と、該皮膚粘弾性測定器に接続されかつ運動強度の評価データを取り込むパソコン装置とでなる構成に於いて、該皮膚粘弾性測定器は内蔵した演算部からのデータを下に最適運動強度を判定する判定部を備えたことを特徴とする運動強度に伴う女性皮膚判定装置を提供する。
このような構成としたので、運動強度との関係性で女性の皮膚を測定することができ、女性の皮膚向上の指針に資することができる。具体的に女性の皮膚に於ける顔面の頬部での縮む力、女性の顔面の口元での皮膚の柔らかさや運度強度存否による女性肉体の加齢等のデータに基づき合理的な女性運強度を検出判定することができるという効果がある。また、個人の女性の皮膚向上に寄与するのみならず、集団女性の皮膚向上に寄与することができる。
【図面の簡単な説明】
【０００９】
【図１】本考案に係る運動強度に伴う女性皮膚判定装置に於ける実施形態を示すものであって、女性の顔面に置ける頬部に粘弾性プローブを接触させることにより当該頬部の粘弾性を測定する状態を示した斜視図である。
【図２】本考案に係る運動強度に伴う女性皮膚判定装置に於いて粘弾性プローブ、皮膚粘弾性測定器及びパソコン装置の相互間の接続を示す構成図である。
【図３】従来の技術に於ける人の皮膚の張力判定装置の一例を示すものであって、センサユニットの構成を示す縦断面図である。
【考案を実施するための形態】
【００１０】
以下、本考案に係る運動強度に伴う女性皮膚判定装置に於ける実施の形態について図１及び図2に基づき詳細に説明する。
【００１１】
８は粘弾性プローブであり、図２に示すように陰圧吸引部９と、該陰圧吸引部９からの信号を取込む圧力センサ部１０とでなる。１１は信号ケーブルであり、粘弾性プローブ８と皮膚粘弾性測定器１２とを接続する。１３はパソコン装置であって、皮膚粘弾性測定器１２に接続されている。皮膚粘弾性測定器１２は演算部１４と判定部１５とを備えている。前記パソコン装置１３は皮膚粘弾性測定器１２の演算部１４に運動強度データを入力する運動強度入力部１６と、皮膚粘弾性定測器１２の運動強度適否を判定した判定部１５からのデータ信号を表示する表示部１７とを備えている。尚、皮膚粘弾性定測器１２はパソコン装置１３を内蔵してもよい。
【００１２】
前記粘弾性プローブ８は女性皮膚の粘弾力性の検出方法や検出部位等により２本ないし４本を装備することが可能である。すなわち粘弾性プローブ８の陰圧吸引部９の吸引径長が２（ｍｍ）ないし８（ｍｍ）までの各製品を適用する。
【００１３】
次に、本考案に係る運動強度に伴う女性皮膚判定装置の動作について説明する。
最初に女性被験者Ａについて運動強度を把握する。運動強度は心拍数に置き換えて判断する。すなわち女性被験者Ａがどの程度の運動強度の運動を行なったかは女性被験者Ａの最大心拍数に対して何割の心拍数となることで判断する。最大心拍数とは女性被験者Ａが短距離走及び中距離走等の激しい運動を行いこれ以上の運動を行なえない状態で測定した心拍数である。一般的に最大心拍数は実測する以外に、２２０から女性被験者Ａの年齢数を減じた値を計算上の最大心拍数としてもよい。例えば女性被験者Ａが３０歳であれば最大心拍数は２２０−３０＝１９０として扱い、当該数値をデータとしてパソコン装置１３の運動強度入力部１６に収納する。そこで、運動強度の分類は最大心拍数の８５％以上の心拍数を伴う運動を激しい運動として運動強度大の区分と、最大心拍数の７０％から８５％の心拍数を伴う運動をやや楽な運動として運動強度中の区分と、最大心拍数の６０％から７０％の心拍数を伴う運動を楽な運動として運動強度小の区分で成立する。
尚、運動強度の区分はこれ以上の区分を設定してもよい。ここで、女性被験者Ａの運動強度に係るデータをパソコン装置１３の運動強度入力部１６に入力した後皮膚粘弾性測定器１２の演算部１４に入力する。
【００１４】
特定の女性個人としての本考案の機能を説明する。
本考案の目的たる女性の皮膚を判定、向上させるためには、女性被験者Ａが運動動作完了後に図１に示すように頬の縮む力を評価するときの動作を説明する。すなわち、皮膚粘弾性測定器１２の電源スイッチ（図示せず）及びパソコン装置の電源スイッチ（図示せず）を投入し、測定用ソフトウエアを起動する。次に粘弾性プローブ８の陰圧吸引部９を女性被験者Ａの頬部、具体的には図１に示すように鼻翼交点部の女性皮膚表面１８に当接する。すると粘弾性プローブ８の陰圧吸引部９が皮膚表面１８に圧力センサ部１０で制御した陰圧を印加して陰圧吸引部９に接触した皮膚表面１８が陰圧吸引部９に吸引される。そして吸引され隆起した皮膚の高さを例えば粘弾性プローブ８内に備えたＬＥＤによる発光部及びフォトダイオードによる受光部からなる光センサ（図示せず）が摩擦及び機械的作用を生じることなく非接触に測定する。この動作を繰返し行なうことで皮膚表面１８の粘弾力性すなわち頬の縮む力を測定する。これが「縮む力」の評価データである。このときこの測定方法は例えば、一定陰圧で一気に吸引した後に急激に陰圧を解除する測定方法、徐々に陰圧を上げながら吸引して解除した後に陰圧ゼロの状態による測定方法、一定陰圧で一気に吸引した後に徐々に陰圧を解除する測定方法、及び徐々に陰圧を上げながら吸引した後に急激に陰圧を解除する測定方法がある。
【００１５】
陰圧吸引部９に於いて陰圧の印加及び開放を繰返すことにより、皮膚表面１８の変形及び回復の変化を前記光センサ（図示せず）が光量の変化として測定し電圧変換して変換信号を信号ケーブル１１を介して皮膚粘弾性測定器１２の演算部１４に出力する。皮膚粘弾性測定器１２は陰圧吸引部９に於ける陰圧の印加及び開放の時間を基準にして前記光センサの光量の変化データをパソコン装置１３に出力する。パソコン装置１３は前記印加及び開放の時間を基準にして皮膚表面１８の高さの変化をグラフ化し表示部１７に表示すると共に、女性被験者Ａの皮膚表面１８の粘弾力性すなわち頬の縮む力を評価し、データとして前記演算部１４で前述した最大心拍数を下に女性被験者Ａの皮膚状態を演算する。
【００１６】
次に、先ず女性被験者Ａに於ける女性皮膚の粘弾性、つまり頬部でのいわゆる「縮む力」、口元でのいわゆる「柔らかさ」を評価データとして検出する必要がある。先ず口元の柔らかさを評価する。皮膚粘弾性測定器１２の電源スイッチ（図示せず）及びパソコン装置の電源スイッチ（図示せず）を投入し、測定用ソフトウエアを起動する。次に粘弾性プローブ８の陰圧吸引部９を柔らかい皮膚になりやすいと考えられる女性被験者Ａの口元すなわち口角交点部に当接する。すると粘弾性プローブ８の陰圧吸引部９が皮膚表面１８に圧力センサ部１０で制御した陰圧を印加して陰圧吸引部９に接触した口角交点部に於ける皮膚表面１８が陰圧吸引部９に吸引される。そして吸引され隆起した皮膚の高さを粘弾性プローブ８内に備えたＬＥＤによる発光部及びフォトダイオードによる受光部からなる光センサ（図示せず）が摩擦及び機械的作用を生じることなく非接触に測定する。この動作を繰返し行なうことで口角交点部の皮膚表面１８の粘弾力性すなわち口元の柔らかさを測定する。これが「柔らかさ」の評価データである。
尚、測定方法は前述した頬部の場合と同一である。
【００１７】
陰圧吸引部９に於いて陰圧の印加及び開放を繰返すことにより、口角交点部に於ける皮膚表面１８の変形及び回復の変化を前記光センサ（図示せず）が光量の変化として測定し電圧変換して変換信号を皮膚粘弾性測定器１２の演算部１４に出力する。皮膚粘弾性測定器１２は陰圧吸引部９に於ける陰圧の印加及び開放の時間を基準にして前記光センサの光量の変化データをパソコン装置１３に出力する。パソコン装置１３は前記印加及び開放の時間を基準にして口角交点部に於ける皮膚表面１８の高さの変化をグラフ化し表示部１７に表示すると共に、女性被験者Ａの口角交点部に於ける皮膚表面１８の粘弾力性すなわち口元の柔らかさを評価しデータ化して演算部１４で、前述した最大心拍数を下に女性被験者Ａの皮膚状態を演算する。
【００１８】
そして前述した女性被験者Ａの皮膚の状態を運動強度に係るデータと共に計量した縮む力及び柔らかさを示す各評価データを皮膚粘弾性測定器１２の演算部１４で演算した後判定部１５で女性被験者Ａの最適運動強度の適否及び最適運動強度レベルを判定・検出する。この判定・検出したデータはパソコン装置１３の表示部１７に表示される。この判別した最適運動強度により女性皮膚の向上を図る目安とすることができる。また、ＢＡＰ（抗酸化能）を評価データとして皮膚粘弾性測定器１２に入力してもよい。つまり、唾液採取用のストローで唾液を２００μＬ以上採取し、生体の酸化ストレス状態と抗酸化力を包括的に評価する。ＢＡＰが高くなれば女性の皮膚機能の低下を防止する。
【００１９】
以上の説明は一人の女性被験者Ａの運動強度の最適値を判定する場合であるが、本考案はこの一人の女性被験者Ａをグループ化し、例えば第１グループとして激しい運動グループ、第２グループとして楽な運動グループ、第３グループとして運動習慣のないグループとして、集団に於ける女性の皮膚を判定・検出し、集団女性に於ける皮膚向上に資することができる。そして、集団女性の頬の縮む力を評価した評価データ（Ｒ１）値に於いて激しい運動グループの評価データ（Ｒ１）値は０．０９４と低い値を示し、楽な運動グループの評価データ（Ｒ１）値は０．１１７と高い値を示した。この観点から、例えば低い値を示す激しい運動グループ、即ち、運動強度大によることが皮膚の向上が図れる。また、口元の柔らかさの評価データ評価（Ｆ４）値に於いて激しい運動グループの評価データ（Ｆ４）値は０．０４９と低い値を示し、楽な運動グループの評価データ（Ｆ４）値は０．０６と高い値を示した。この観点から、例えば低い値を示す激しい運動グループ、即ち、運動強度大によることが皮膚の向上が図れる。
【産業上の利用可能性】
【００２０】
本考案は、女性皮膚に於ける粘弾力性を判定して運動強度の違いによる女性の皮膚の向上を図るための皮膚判定装置であるが、運動強度のほか、紫外線又は外気環境をパラメータとして女性の皮膚の向上を図るための皮膚判定装置を構成することも可能である。
【符号の説明】
【００２１】
８        粘弾性プローブ
９        陰圧吸引部
１０      圧力センサ部
１１      信号ケーブル
１２      皮膚粘弾性測定器
１３      パソコン装置
１４      演算部
１５      判定部
１６      運動強度入力部
１７      表示部
１８      皮膚表面
【図１】
0003161310.tif 000003
【図２】
0003161310.tif 000004
【図３】
0003161310.tif 000005